(57)【要約】      （修正有）【課題】照明エリアに人がいるかいないかを感知して、照明輝度を自己調整できるスマートタイプ省エネランプを提供する。【解決手段】スマートタイプ省エネランプは、電源回路１、主制御回路２、照明回路４及び赤外線感応回路３を包含する。該電源回路１の出力線と主制御回路２の入力線が接続され、主制御回路２の出力線と照明回路４の入力線が接続され、赤外線感応回路３は主制御回路２を通して照明回路４を調節する。電源回路１はヒューズとブリッジ整流器を包含する。【選択図】図１
0003166389.tif 000002
【実用新案登録請求の範囲】
【請求項１】
スマートタイプ省エネランプにおいて、
電源回路と、
主制御回路であって、入力線が電源回路の出力線に接続された上記主制御回路と、
照明回路であって、入力線が主制御回路の出力線に接続された上記照明回路と、
主制御回路を通して照明回路を制御する赤外線感応回路と、
を包含したことを特徴とする、スマートタイプ省エネランプ。
【請求項２】
請求項１記載のスマートタイプ省エネランプにおいて、該電源回路はヒューズとブリッジ整流器を包含することを特徴とする、スマートタイプ省エネランプ。
【請求項３】
請求項１記載のスマートタイプ省エネランプにおいて、該主制御回路は熱電対、フォトセンシティブ抵抗、トランジスタ及び電界効果トランジスタを包含したことを特徴とする、スマートタイプ省エネランプ。
【請求項４】
請求項１記載のスマートタイプ省エネランプにおいて、該照明回路は複数のＬＥＤが直列に接続された後に並列に接続されて構成されたことを特徴とする、スマートタイプ省エネランプ。
【請求項５】
請求項１記載のスマートタイプ省エネランプにおいて、該赤外線感応回路は赤外線プローブヘッド、チップ、トランジスタ、フォトカプラ、熱電対、電界効果トランジスタ、ツェナダイオード及びチップを包含したことを特徴とする、スマートタイプ省エネランプ。
【考案の詳細な説明】
【技術分野】
【０００１】
本考案は一種の照明設備の技術領域に係り、特に一種の照明エリアに人がいるかいないかを感知して、照明輝度を自己調整できるスマートタイプ省エネランプに関する。
【背景技術】
【０００２】
省エネ照明ランプたとえばＬＥＤランプは、生活中へよく応用されている。現在使用されている省エネランプのほとんどは、自身の消費電力が低いが、使用環境の変化に対応し省エネできるものはなく、このため、省エネ照明ランプを採用しても、完全照明の必要でない環境、たとえば、人が照明エリアにいない時など、省エネ照明ランプは検出により自動的に照度を減らすことで更なる省エネの効果を達成することはできず、完全照明を抵抗するため、このような照明は浪費を形成した。
【考案の概要】
【考案が解決しようとする課題】
【０００３】
周知の技術中の省エネランプが、使用の必要に対して省エネの効果を提供できないことを鑑み、本考案はこの問題を解決することを目的とし、それは、一種の輝度が線形変化可能な省エネランプを提供し、照明エリアに人が存在するかしないかの状況に対応し、さらなる省エネ調整を行なう。人が照明エリアを離れる時、省エネランプは自動的に照度を減らし、省エネの効果を達成し、人が照明エリアに進入すると、省エネランプは完全照明効果の照度を回復し、こうしてリアルタイムに最良の照明効果を提供する。
【課題を解決するための手段】
【０００４】
本考案のスマートタイプ省エネランプは、電源回路、主制御回路、照明回路及び赤外線感応回路を包含する。該電源回路の出力線と主制御回路の入力線が接続され、主制御回路の出力線と照明回路の入力線が接続され、赤外線感応回路は主制御回路を通して照明回路を調節する。
【０００５】
電源回路はヒューズＦ１に直列に接続された後に、コンデンサＣ１とインダクタンスＬ１に接続され、コンデンサＣ１の別端は零線、インダクタンスＬ２と抵抗Ｒ１に接続され、インダクタンスＬ１の別端はブリッジ整流器Ｄ１の１ピンに接続される。
【０００６】
主制御回路はブリッジ整流器Ｄ１の２ピンによりコンデンサＣ２、Ｃ３、及びダイオードＤ２、Ｄ３のプラス極に接続され、コンデンサＣ２、Ｃ３の別端は抵抗Ｒ２とインダクタンスＬ３に接続され、ダイオードＤ２の別端はインダクタンスＬ４に直列に接続され、インダクタンスＬ４の別端はダイオードＤ６のプラス極に直列に接続され、ダイオードＤ６のマイナス極は熱電対Ｔ１の２ピンに接続される。
【０００７】
ダイオードＤ３と抵抗Ｒ３、Ｒ４、コンデンサＣ１２のプラス極、コンデンサＣ４と熱電対Ｔ１の１ピンが接続され、抵抗Ｒ３は抵抗Ｒ１４に直列に接続された後、チップＩＣ１の３ピンに接続され、チップＩＣ１の型番はＩＷ３６２０である。コンデンサＣ４の別端はダイオードＤ４のマイナス極に接続され、ダイオードＤ４のプラス極と熱電対Ｔ１の２ピンが接続され、熱電対Ｔ１の４ピンがダイオードＤ５のプラス極と直列に接続された後、コンデンサＣ１３のプラス極、抵抗Ｒ５、Ｒ６、Ｒ７、電界効果トランジスタＱ４に接続され、コンデンサＣ１３のマイナス極は抵抗Ｒ５に接続された後に接地する。
【０００８】
抵抗Ｒ６の別端はフォトセンシティブ抵抗ＣＤＳ１とトランジスタＱ１のベースに接続され、抵抗Ｒ７の別端は電界効果トランジスタＱ４の別端とトランジスタＱ１のコレクタに接続され、電界効果トランジスタＱ４の第３端は接続ポートＣＯＮ２の３ピンを介して照明回路のプラス極に接続されている。
【０００９】
照明回路は複数のＬＥＤランプが直列に接続された後にさらに並列に接続されて構成される。赤外線感応回路は赤外線プローブヘッドＵ１より抵抗Ｒ２３、コンデンサＣ１５、チップＩＣ２の２ピンに接続され、チップＩＣ２の型番はＣＳＣ９８０３Ｆである。
【００１０】
チップＩＣ２の４ピンはコンデンサＣ１８のプラス極と接続され、コンデンサＣ１８のマイナス極は抵抗Ｒ２３、コンデンサＣ１５の別端に接続された後に、接地する。
【００１１】
チップＩＣ２の３ピンは抵抗Ｒ２５、Ｒ３０、コンデンサＣ２２に接続され、抵抗Ｒ２５とコンデンサＣ２２の別端はチップＩＣ２の１ピンとコンデンサＣ２３のマイナス極に接続され、コンデンサＣ２３のプラス極と抵抗Ｒ３１が接続され、抵抗Ｒ３１の別端はチップＩＣ２の１４ピン、抵抗Ｒ３２、コンデンサＣ２５に接続される。
【００１２】
抵抗Ｒ３２とコンデンサＣ２５の別端はチップＩＣ２の１６ピンに接続され、抵抗Ｒ３０の別端はコンデンサＣ２１のプラス極に接続される。コンデンサＣ２１のマイナス極は接地し、並びにコンデンサＣ２６と直列に接続された後にチップＩＣ２の１６ピンに接続される。チップＩＣ２の９ピンはコンデンサＣ１７のプラス極、抵抗Ｒ２２に接続され、コンデンサＣ１７のマイナス極は抵抗Ｒ２２の別端に接続された後に接地する。
【００１３】
チップＩＣ２の６ピンはコンデンサＣ１６、抵抗Ｒ２４に接続され、コンデンサＣ１６の別端は接地し、抵抗Ｒ２４の別端は接続ポートＣＯＮ１の１ピンに接続される。チップＩＣ２の８ピンはコンデンサＣ１９、抵抗Ｒ２６に接続され、コンデンサＣ１９の別端は接地し、抵抗Ｒ２６の別端は接続ポートＣＯＮ１の１ピンに接続される。
【００１４】
コンデンサＣ２０のプラス極と接続ポートＣＯＮ１の１ピンが接続され、そのマイナス極は接地し、チップＩＣ２の５ピンは照明回路のマイナス極及び接続ポートＣＯＮ１の２ピンに接続され、チップＩＣ２の１１ピンは接続ポートＣＯＮ１、接続ポートＣＯＮ２の４ピンを介して抵抗Ｒ１８に接続され、抵抗Ｒ１８の別端はトランジスタＱ２のベースに接続される。
【００１５】
トランジスタＱ２のコレクタは抵抗Ｒ１７に直列に接続された後、接続ポートＣＯＮ２の１ピンに接続され、トランジスタＱ２のエミッタとフォトカプラＵ４の１ピンが接続され、フォトカプラＵ４の型番はＰＣ８１７である。その２ピンは接地し、３ピンは熱電対Ｔ２の２ピン、抵抗Ｒ１３、Ｒ１９、コンデンサＣ７、Ｃ８、Ｃ９、Ｃ１０、Ｃ１１に接続されている。
【００１６】
コンデンサＣ７と抵抗Ｒ１３の別端はチップＩＣ１の４ピンに接続され、コンデンサＣ８とチップＩＣ１の３ピンが接続され、コンデンサＣ９とチップＩＣ１の８ピンと抵抗Ｒ１５が接続され、抵抗Ｒ１５の別端とコンデンサＣ１１の別端、ダイオードＤ７のマイナス極が接続される。
【００１７】
ダイオードＤ７のプラス極と抵抗Ｒ１６、熱電対Ｔ２の１ピンが接続され、フォトカプラＵ４の４ピンは抵抗Ｒ２０と直列に接続された後に、抵抗Ｒ１６、Ｒ１９、コンデンサＣ１０の別端及びチップＩＣ１の２ピンに接続される。チップＩＣ１の５ピンはコンデンサＣ６、抵抗Ｒ８、Ｒ９と接続され、コンデンサＣ６の別端は抵抗Ｒ１２とチップＩＣ１の６ピンに接続され、抵抗Ｒ８、Ｒ９の別端は電界効果トランジスタＱ５、抵抗Ｒ１０、Ｒ１２の別端に接続され、抵抗Ｒ１０の別端は抵抗Ｒ１１と電界効果トランジスタＱ５の別端に接続される。抵抗Ｒ１１の別端はチップＩＣ１の７ピンに接続され、電界効果トランジスタＱ５の第３端と熱電対Ｔ１の２ピンが接続され、熱電対Ｔ２の４ピンとダイオードＤ９のプラス極、熱電対Ｔ１の３ピンが接続される。
【００１８】
熱電対Ｔ２の３ピンは接続ポートＣＯＮ２の２ピンに接続される。抵抗Ｒ２１の別端は接続ポートＣＯＮ２の１ピン、ツェナダイオードＺＤ１のマイナス極に接続され、コンデンサＣ１４のマイナス極は接地する。
【考案の効果】
【００１９】
本考案は照明回路に赤外線感応回路を増設し、照明エリアにおける人の有無を感知することで省エネ調整を行う。照明エリアに人がいない時は、照明回路は省エネ状態に入り、人が進入すると、正常照明を回復する。本考案の省エネ状態での電力使用料は正常使用時の２０％にすぎず、人が離れても回路が依然として最大限度照明を行うために形成される電力資源の浪費を防止し、省エネ環境保護の効果を達成する。
【図面の簡単な説明】
【００２０】
【図１】本考案の構造ブロック図である。
【図２】本考案の回路構造図である。
【考案を実施するための形態】
【００２１】
本考案の技術内容、構造特徴、達成する目的を詳細に説明するため、以下に実施例を挙げ並びに図面を組み合わせて説明する。
【００２２】
図１、２に示されるように、本考案のスマートタイプ省エネランプは、電源回路１、主制御回路２、照明回路４及び赤外線感応回路３を包含する。該電源回路１の出力線と主制御回路２の入力線が接続され、主制御回路２の出力線と照明回路４の入力線が接続され、赤外線感応回路３は主制御回路２を通して照明回路４を調節する。
【００２３】
電源回路１はヒューズＦ１とブリッジ整流器Ｄ１を包含する。
【００２４】
主制御回路２は、熱電対Ｔ１、フォトセンシティブ抵抗ＣＤＳ１、トランジスタＱ１及び電界効果トランジスタＱ４を包含する。照明回路４は複数のＬＥＤが直列に接続された後に並列に接続されて構成された。
【００２５】
赤外線感応回路３は、赤外線プローブヘッドＵ１、チップＩＣ１（ＩＷ３６２０）、トランジスタＱ２、フォトカプラＵ４（ＰＣ８１７）、熱電対Ｔ２、電界効果トランジスタＱ５、ツェナダイオードＺＤ１及びチップＩＣ２（ＣＳＣ９８０３Ｆ）を包含する。
【００２６】
電源回路１はヒューズＦ１に直列に接続された後に、コンデンサＣ１とインダクタンスＬ１に接続され、コンデンサＣ１の別端は零線、インダクタンスＬ２と抵抗Ｒ１に接続され、インダクタンスＬ１の別端はブリッジ整流器Ｄ１の１ピンに接続される。
【００２７】
主制御回路２はブリッジ整流器Ｄ１の２ピンによりコンデンサＣ２、Ｃ３、及びダイオードＤ２、Ｄ３のプラス極に接続され、コンデンサＣ２、Ｃ３の別端は抵抗Ｒ２とインダクタンスＬ３に接続され、ダイオードＤ２の別端はインダクタンスＬ４に直列に接続され、インダクタンスＬ４の別端はダイオードＤ６のプラス極に直列に接続され、ダイオードＤ６のマイナス極は熱電対Ｔ１の２ピンに接続される。
【００２８】
ダイオードＤ３と抵抗Ｒ３、Ｒ４、コンデンサＣ１２のプラス極、コンデンサＣ４と熱電対Ｔ１の１ピンが接続される。抵抗Ｒ３は抵抗Ｒ１４に直列に接続された後、チップＩＣ１の３ピンに接続され、チップＩＣ１の型番はＩＷ３６２０である。
【００２９】
コンデンサＣ４の別端はダイオードＤ４のマイナス極に接続され、ダイオードＤ４のプラス極と熱電対Ｔ１の２ピンが接続され、熱電対Ｔ１の４ピンがダイオードＤ５のプラス極と直列に接続された後、コンデンサＣ１３のプラス極、抵抗Ｒ５、Ｒ６、Ｒ７、電界効果トランジスタＱ４に接続される。コンデンサＣ１３のマイナス極は抵抗Ｒ５に接続された後に接地する。
【００３０】
抵抗Ｒ６の別端はフォトセンシティブ抵抗ＣＤＳ１とトランジスタＱ１のベースに接続され、抵抗Ｒ７の別端は電界効果トランジスタＱ４の別端とトランジスタＱ１のコレクタに接続され、電界効果トランジスタＱ４の第３端は接続ポートＣＯＮ２の３ピンを介して照明回路のプラス極に、照明回路４は複数のＬＥＤランプが直列に接続された後に、並列に接続されて構成される。
【００３１】
赤外線感応回路３は赤外線プローブヘッドＵ１より抵抗Ｒ２３、コンデンサＣ１５、チップＩＣ２の２ピンに接続され、チップＩＣ２の型番はＣＳＣ９８０３Ｆである。
【００３２】
チップＩＣ２の４ピンはコンデンサＣ１８のプラス極と接続され、コンデンサＣ１８のマイナス極は抵抗Ｒ２３、コンデンサＣ１５の別端に接続された後に、接地する。
【００３３】
チップＩＣ２の３ピンは抵抗Ｒ２５、Ｒ３０、コンデンサＣ２２に接続され、抵抗Ｒ２５とコンデンサＣ２２の別端はチップＩＣ２の１ピンとコンデンサＣ２３のマイナス極に接続され、コンデンサＣ２３のプラス極と抵抗Ｒ３１が接続され、抵抗Ｒ３１の別端はチップＩＣ２の１４ピン、抵抗Ｒ３２、コンデンサＣ２５に接続される。
【００３４】
抵抗Ｒ３２とコンデンサＣ２５の別端はチップＩＣ２の１６ピンに接続され、抵抗Ｒ３０の別端はコンデンサＣ２１のプラス極に接続される。コンデンサＣ２１のマイナス極は接地し、並びにコンデンサＣ２６と直列に接続された後にチップＩＣ２の１６ピンに接続される。チップＩＣ２の９ピンはコンデンサＣ１７のプラス極、抵抗Ｒ２２に接続され、コンデンサＣ１７のマイナス極は抵抗Ｒ２２の別端に接続された後に接地する。
【００３５】
チップＩＣ２の６ピンはコンデンサＣ１６、抵抗Ｒ２４に接続され、コンデンサＣ１６の別端は接地し、抵抗Ｒ２４の別端は接続ポートＣＯＮ１の１ピンに接続される。チップＩＣ２の８ピンはコンデンサＣ１９、抵抗Ｒ２６に接続され、コンデンサＣ１９の別端は接地し、抵抗Ｒ２６の別端は接続ポートＣＯＮ１の１ピンに接続される。
【００３６】
コンデンサＣ２０のプラス極と接続ポートＣＯＮ１の１ピンが接続され、そのマイナス極は接地し、チップＩＣ２の５ピンは照明回路のマイナス極及び接続ポートＣＯＮ１の２ピンに接続され、チップＩＣ２の１１ピンは接続ポートＣＯＮ１、接続ポートＣＯＮ２の４ピンを介して抵抗Ｒ１８に接続され、抵抗Ｒ１８の別端はトランジスタＱ２のベースに接続される。
【００３７】
トランジスタＱ２のコレクタは抵抗Ｒ１７に直列に接続された後、接続ポートＣＯＮ２の１ピンに接続され、トランジスタＱ２のエミッタとフォトカプラＵ４の１ピンが接続され、フォトカプラＵ４の型番はＰＣ８１７である。その２ピンは接地し、３ピンは熱電対Ｔ２の２ピン、抵抗Ｒ１３、Ｒ１９、コンデンサＣ７、Ｃ８、Ｃ９、Ｃ１０、Ｃ１１に接続されている。
【００３８】
コンデンサＣ７と抵抗Ｒ１３の別端はチップＩＣ１の４ピンに接続され、コンデンサＣ８とチップＩＣ１の３ピンが接続され、コンデンサＣ９とチップＩＣ１の８ピンと抵抗Ｒ１５が接続され、抵抗Ｒ１５の別端とコンデンサＣ１１の別端、ダイオードＤ７のマイナス極が接続される。
【００３９】
ダイオードＤ７のプラス極と抵抗Ｒ１６、熱電対Ｔ２の１ピンが接続され、フォトカプラＵ４の４ピンは抵抗Ｒ２０と直列に接続された後に、抵抗Ｒ１６、Ｒ１９、コンデンサＣ１０の別端及びチップＩＣ１の２ピンに接続される。チップＩＣ１の５ピンはコンデンサＣ６、抵抗Ｒ８、Ｒ９と接続され、コンデンサＣ６の別端は抵抗Ｒ１２とチップＩＣ１の６ピンに接続され、抵抗Ｒ８、Ｒ９の別端は電界効果トランジスタＱ５、抵抗Ｒ１０、Ｒ１２の別端に接続され、抵抗Ｒ１０の別端は抵抗Ｒ１１と電界効果トランジスタＱ５の別端に接続される。抵抗Ｒ１１の別端はチップＩＣ１の７ピンに接続され、電界効果トランジスタＱ５の第３端と熱電対Ｔ１の２ピンが接続され、熱電対Ｔ２の４ピンとダイオードＤ９のプラス極、熱電対Ｔ１の３ピンが接続される。
【００４０】
熱電対Ｔ２の３ピンは接続ポートＣＯＮ２の２ピンに接続される。抵抗Ｒ２１の別端は接続ポートＣＯＮ２の１ピン、ツェナダイオードＺＤ１のマイナス極に接続され、コンデンサＣ１４のマイナス極は接地する。
【００４１】
本考案の動作原理は、以下のとおりである。環境照度が１０ＬＸ±５ＬＸ（日中）より大きい時、フォトセンシティブ抵抗ＣＤＳ１の抵抗値は小さくなり、電界効果トランジスタＱ４はオフとされ、照明回路４は通電待機状態となり、動作しない。
【００４２】
環境照度が１０ＬＸ±５ＬＸ（夜間）より小さい時、フォトセンシティブ抵抗ＣＤＳ１の抵抗値は大きくなり、トランジスタＱ１が導通し、電界効果トランジスタＱ４も導通し、照明回路４は線形発光状態を呈する。
【００４３】
環境照度が１ＬＸ以下となり、且つ赤外線プローブヘッドＵ１が人の存在を照明エリアにおいて感知しない時、チップＩＣ２の１１ピンは低電位をトランジスタＱ２に出力し、フォトカプラＵ４がオフとなりフィードバック信号を増大させ、チップＩＣ２の２ピンの出力電圧を制御して下降させ、照明回路４に供給する電流を減らし、これにより、ＬＥＤランプの光束量を減らし、輝度を下げ、省エネ状態に進入させ、省エネ効果を達成する。
【００４４】
赤外線プローブヘッドＵ１が人の存在を感知すると、チップＩＣ２の処理により信号を増幅し、チップＩＣ２の１１ピンに高電位をトランジスタＱ２に出力させ、フォトカプラＵ４を導通させ、フィードバック信号を減らし、チップＩＣ２の２ピンの出力電圧を制御して高くし、照明回路４に供給する電流を増大し、すなわち、ＬＥＤの光束量を増し、輝度を増加し、正常な使用状態に回復させ、同時に、一分間時間延長し、赤外線プローブヘッドＵ１は一分ごとに照明エリアにおける人の存在を検出し、人が監視範囲を離れて一分たつと、灯光は自動的に省エネ状態に切り換えられる。
【００４５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００４６】
１  電源回路
２  主制御回路
３  赤外線感応回路
４  照明回路
Ｆ１  ヒューズ
Ｄ１  ブリッジ整流器
ＣＤＳ１  フォトセンシティブ抵抗
Ｕ４  フォトカプラ
ＺＤ１  ツェナダイオード
Ｔ１、Ｔ２  熱電対
Ｑ１、Ｑ２  トランジスタ
ＩＣ１、ＩＣ２  チップ
ＣＯＮ１、ＣＯＮ１  接続ポート
Ｌ１、Ｌ２、Ｌ３、Ｌ４  インダクタンス
Ｄ２、Ｄ３、Ｄ４、Ｄ５、Ｄ６、Ｄ７、Ｄ９  ダイオード
Ｃ１２、Ｃ１３、Ｃ１４、Ｃ１７、Ｃ１８、Ｃ２０、Ｃ２１、Ｃ２３  コンデンサ
Ｃ１、Ｃ２、Ｃ３、Ｃ４、Ｃ６、Ｃ７、Ｃ８、Ｃ９、Ｃ１０、Ｃ１１、Ｃ１５、Ｃ１６、Ｃ１９、Ｃ２２、Ｃ２５、Ｃ２６  コンデンサ
Ｒ１、Ｒ２、Ｒ３、Ｒ４、Ｒ５、Ｒ６、Ｒ７、Ｒ８、Ｒ９、Ｒ２、Ｒ１１、Ｒ１３、Ｒ１４、Ｒ１５、Ｒ１６、Ｒ１７、Ｒ１８、Ｒ１９、Ｒ２１、Ｒ２２、Ｒ２３、Ｒ２４、Ｒ２５、Ｒ２６、Ｒ３０、Ｒ３１、Ｒ３２  抵抗
【図１】
0003166389.tif 000003
【図２】
0003166389.tif 000004